(57)【要約】【課題】新たなキャリア信号を用いた放送が追加された場合に既存放送及び新規放送の視聴を可能にすること。【解決手段】光伝送システムは、第１及び第２の多チャンネル信号がそれぞれＦＭ一括変換方式によって変換された第１及び第２の光信号をそれぞれ送信する第１及び第２光送信部と、各光信号に含まれる各キャリア信号を監視するキャリア監視機能部と、各光信号の信号強度を調整して出力する出力調整部と、各光信号の合波信号を出力する合波器と、合波信号を増幅する増幅器と、増幅された合波信号に含まれる各光信号をそれぞれ受信する第１及び第２の光受信部とを備え、出力調整部は、各光受信部における信号強度がそれぞれ所定値以上となるように各光信号の信号強度をそれぞれ調整し、キャリア監視機能部は、各光信号に含まれる各キャリア信号の周波数偏移量から算出した最小受光感度に基づいて所定値を更新する。【選択図】図２
2020127092.tif 000002
【特許請求の範囲】
【請求項１】
周波数多重された第１の多チャンネル信号がＦＭ一括変換方式によって変換された、第１の波長を有する第１の光信号を送信する第１の光送信部と、
周波数多重された第２の多チャンネル信号がＦＭ一括変換方式によって変換された、前記第１の波長とは異なる第２の波長を有する第２の光信号を送信する第２の光送信部と、
前記第１の光信号を取得し、取得した光信号に含まれる各キャリア信号を監視するキャリア監視機能部と、
前記第１の光信号及び前記第２の光信号を取得し、取得した各光信号の信号強度をそれぞれ調整して出力する出力調整部と、
前記出力調整部で信号強度がそれぞれ調整された前記第１の光信号と前記第２の光信号とを合波し、合波信号を出力する合波器と、
前記合波信号を増幅する増幅器と、
前記増幅器で増幅された前記合波信号に含まれる前記第１の光信号を受信する第１の光受信部と、
前記増幅器で増幅された前記合波信号に含まれる前記第２の光信号を受信する第２の光受信部と、
を備え、
前記キャリア監視機能部は、
前記第１の光信号に含まれる各キャリア信号の周波数偏移量を求め、該周波数偏移量に基づいて前記第１の光受信部における最小受光感度を算出し、
前記出力調整部は、
前記第１の光受信部によって受信される前記第１の光信号の信号強度が第１の所定値以上となり、かつ、前記第２の光受信部によって受信される前記第２の光信号の信号強度が第２の所定値以上となるように、取得した前記第１の光信号及び前記第２の光信号の信号強度をそれぞれ調整するとともに、前記第１の所定値を前記キャリア監視機能部の算出した前記第１の光受信部における最小受光感度に基づいて更新する
光伝送システム。
【請求項２】
前記出力調整部は、
前記増幅器から出力される前記合波信号の信号強度が第３の所定値となるように、前記第１の光信号及び前記第２の光信号の信号強度をそれぞれ調整する
請求項１に記載の光伝送システム。
【請求項３】
前記出力調整部は、
前記合波器において生じる挿入損失、及び前記増幅器と前記第１の光受信部及び前記第２の光受信部との間において生じる伝送損失に基づいて、前記第１の光信号及び前記第２の光信号の信号強度をそれぞれ調整する
請求項１又は請求項２に記載の光伝送システム。
【請求項４】
前記キャリア監視機能部は、
さらに、前記第２の光信号を取得し、前記第２の光信号に含まれる各キャリア信号の周波数偏移量を求め、該周波数偏移量に基づいて前記第２の光受信部における最小受光感度を算出し、
前記出力調整部は、
さらに、前記第２の所定値を前記キャリア監視機能部の算出した前記第２の光受信部における最小受光感度に基づいて更新する
請求項１から請求項３のうちいずれか一項に記載の光伝送システム。
【請求項５】
前記第１の光送信部から送信された前記第１の光信号と前記第２の光送信部から送信された前記第２の光信号とを合波する第２の合波器を更に備え、
前記出力調整部は、
前記第２の合波器で合波された光信号を取得し、取得した光信号を前記第１の光信号と前記第２の光信号とに分離し、分離した前記第１の光信号及び前記第２の光信号の信号強度をそれぞれ調整して出力する
請求項１から請求項４のうちいずれか一項に記載の光伝送システム。
【請求項６】
前記出力調整部は、
前記第１の所定値、前記合波器において生じる挿入損失、及び前記増幅器と前記第１の光受信部との間において生じる伝送損失に基づいて、前記増幅器から出力される前記合波信号に含まれる前記第１の光信号に必要とされる信号強度である第１の所要信号強度を算出し、
前記第２の所定値、前記合波器において生じる挿入損失、及び前記増幅器と前記第２の光受信部との間において生じる伝送損失に基づいて、前記増幅器から出力される前記合波信号に含まれる前記第２の光信号に必要とされる信号強度である第２の所要信号強度を算出し、
前記第１の所要信号強度と前記第２の所要信号強度とをそれぞれ満たすように、前記増幅器から出力される前記合波信号に含まれる前記第１の光信号及び前記第２の光信号それぞれの出力信号強度を算出し、
算出されたそれぞれの前記出力信号強度になるために必要とされる、前記増幅器に入力される前記合波信号に含まれる前記第１の光信号及び前記第２の光信号のそれぞれの入力信号強度を算出し、
取得した前記第１の光信号及び前記第２の光信号の信号強度の測定結果と、算出されたそれぞれの前記入力信号強度とに基づいて、取得した前記第１の光信号及び前記第２の光信号のそれぞれに対する信号強度の調整量を算出する
請求項１から請求項５のうちいずれか一項に記載の光伝送システム。
【請求項７】
周波数多重された第１の多チャンネル信号がＦＭ一括変換方式によって変換された、第１の波長を有する光信号であって、第１の光受信部へ送信される第１の光信号と、周波数多重された第２の多チャンネル信号がＦＭ一括変換方式によって変換された、前記第１の波長とは異なる第２の波長を有する光信号であって、第２の光受信部へ送信される第２の光信号とを増幅する増幅器に入力される合波信号に含まれる、前記第１の光信号及び前記第２の光信号それぞれの信号強度を調整するキャリア監視装置であって、
前記第１の光信号を取得する第１の取得部と、
前記第２の光信号を取得する第２の取得部と、
前記第１の取得部によって取得された前記第１の光信号の信号強度を測定する第１の測定部と、
前記第２の取得部によって取得された前記第２の光信号の信号強度を測定する第２の測定部と、
前記第１の測定部による測定の測定結果及び前記第２の測定部による測定の測定結果に基づいて、前記第１の光受信部によって受信される前記第１の光信号の信号強度が第１の所定値以上となり、かつ、前記第２の光受信部によって受信される前記第２の光信号の信号強度が第２の所定値以上となり、かつ、前記増幅器から出力される合波信号の信号強度が第３の所定値となるように、前記第１の取得部によって取得された前記第１の光信号の信号強度及び前記第２の取得部によって取得された前記第２の光信号の信号強度に対するそれぞれの調整量を計算する調整量計算部と、
前記調整量計算部によって計算されたそれぞれの前記調整量に基づいて、前記第１の取得部によって取得された前記第１の光信号の信号強度と、前記第２の取得部によって取得された前記第２の光信号の信号強度とを調整し、前記信号強度が調整された前記第１の光信号及び前記第２の光信号を出力する信号強度調整部と、
前記第１の光信号又は前記第２の光信号に含まれる各キャリア信号の周波数偏移量を求め、該周波数偏移量に基づいて前記第１の光受信部又は前記第２の光受信部における最小受光感度を算出し、該最小受光感度に基づいて前記第１の所定値又は前記第２の所定値を更新するキャリア監視機能部と、
を備えるキャリア監視装置。
【発明の詳細な説明】
【技術分野】
【０００１】
本発明は、光伝送システム、及びキャリア監視装置に関する。
【背景技術】
【０００２】
加入者宅へ映像を配信するネットワークシステムとして、例えばＦＴＴＨ（Fiber to the Home）型ＣＡＴＶ（Cable television；ケーブルテレビ）システムが知られている。図１１に、従来のＦＴＴＨ型ＣＡＴＶシステムのネットワーク構成の一例を示す。図１１に示すように、従来のＦＴＴＨ型ＣＡＴＶシステムは、例えば、ヘッドエンドと、光送信部と、中継用アンプと、アクセス用アンプと、各々の加入者宅等に設置される光受信部と、を含んで構成される。
【０００３】
ヘッドエンドは、放送局から送信される映像信号を乗せた電波を地上の送信塔や人工衛星等を介して受信し、受信した電波に対して増幅等の調整を行う。そして、ヘッドエンドは、当該映像信号に基づく電気信号を光送信部へ出力する。光送信部は、取得した電気信号を光信号に変換し、当該光信号を光ファイバで構築された光伝送路へ送出する。光伝送路は、中継ネットワーク（以下、「中継ＮＷ」という。）の区間とアクセスネットワーク（以下、「アクセスＮＷ」という。）の区間とに分けられる。中継ＮＷは、光送信部とアクセスＮＷとの間をつなぐ通信ネットワークである。中継ＮＷでは、伝送距離が長距離に及ぶ場合等において、増幅器（以下、「中継用アンプ」という。）が多段構成される。各々の中継用アンプは、増幅した光信号を、後段の他の中継用アンプへ送出したり、アクセスＮＷ区間内の機器へ送出したり、あるいは、光カプラによって光信号を分岐させて後段の他の中継用アンプ及びアクセスＮＷ区間内の機器の双方へ送出したりする。一方、アクセスＮＷは、中継ＮＷと光信号を終端する各光受信部との間をつなぐ通信ネットワークである。アクセスＮＷでは、中継ＮＷから出力された光信号を複数の加入者宅に設置された光受信部へ分配するために、一般的に、ＰＯＮ（Passive Optical Network；受動光ネットワーク）構成が適用される。更に、図１１に示すように、ＰＯＮ構成による光信号の分配に伴う損失及び中継用アンプによる光信号の分岐に伴う損失等の補償を目的として、アクセスＮＷにおいても増幅器（以下、「アクセス用アンプ」という。）が用いられる場合がある。
【０００４】
上記のようなネットワーク構成を有する従来のＦＴＴＨ型ＣＡＴＶシステムでは、光伝送方式として、例えばＦＭ（Frequency Modulation；周波数変調）一括変換方式が用いられる（非特許文献１参照）。光送信部は、ヘッドエンドから出力された、周波数多重された多チャンネル映像の電気信号を受信し、当該電気信号を一括して１チャンネルの広帯域なＦＭ信号に変換する。更に、光送信部は、変換されたＦＭ信号を、強度変調によって一つの波長λからなる光信号に変換し、光伝送路へ送出する。一方、光受信部は、この波長λの光信号を受光すると、当該光信号を、電気信号への変換により広帯域ＦＭ信号に変換し、復調する。これにより、光受信部は、受光した光信号から、周波数多重された多チャンネル映像の電気信号を取り出すことができる。
【０００５】
従来、本国においては、上記のようなネットワーク構成及び光伝送方式によって、多チャンネルの映像配信が実現されている。配信される映像としては、ＢＳ（Broadcasting Satellites）放送及び１１０度ＣＳ（Communication Satellites）放送のほか、地上デジタル放送等がある。例えば、従来、ＢＳ−１チャンネルからＢＳ−２３チャンネルまでの奇数チャンネルである合計１２チャンネルが、ＢＳデジタル放送のチャンネルとして割り当てられていた。そして、上記の従来のＢＳデジタル放送では、人工衛星からの電波が、右旋円偏波によって地上へ送出されている。一方、２０１８年１２月から、更に、左旋円偏波を用いて人工衛星から地上へ配信されるＢＳ放送（中間周波数：２２２４〜２６８１［ＭＨｚ（メガヘルツ）］）と１１０度ＣＳ放送（中間周波数：２７４８〜３２２４［ＭＨｚ］）とが、新４Ｋ・８Ｋ衛星放送として開始されている。この新４Ｋ・８Ｋ衛星放送で使用される中間周波数帯は、既存放送で使用されている中間周波数帯とは異なる。そのため、既存の放送設備が新４Ｋ・８Ｋ衛星放送の中間周波数に対応していない場合等においては、既存の放送設備のみでは、新４Ｋ・８Ｋ衛星放送の配信及び視聴を実現することができない。
【０００６】
これに対し、既存放送の配信及び視聴に加えて更に新４Ｋ・８Ｋ衛星放送の配信及び視聴を実現する方法の一つとして、新４Ｋ・８Ｋ衛星放送に対応した中継ＮＷ及びその上位設備を、既存放送用の設備とは別に設置する方法が考えられる。図１２に、この方法を用いた場合におけるネットワーク構成の一例を示す。図１２に示すように、このネットワーク構成では、図１１に示したネットワーク構成に加えて、新４Ｋ・８Ｋ衛星放送に対応したヘッドエンド、光送信部、中継用アンプ、及びＷＤＭ（Wavelength Division Multiplexing；波長分割多重）フィルタが新たに設置される。ＷＤＭフィルタは、既存放送用の中継用アンプから出力された光信号と新４Ｋ・８Ｋ衛星放送に対応した中継用アンプから出力された光信号とを合波し、合波された光信号（以下、「合波信号」という。）を既存のアクセス用アンプへ送出する。ここで、既存放送用の中継用アンプから出力された出力光の波長を波長λ１、及び、新４Ｋ・８Ｋ衛星放送に対応した中継用アンプから出力された出力光の波長を波長λ２とし、波長λ１と波長λ２とは互いに異なる波長であるものとする。このとき、既存放送用の光受信部は、波長λ１の光信号を受光することはできるが、波長λ２の光信号は受光することができない場合がある。このような場合において視聴者による新４Ｋ・８Ｋ衛星放送の視聴を可能にするためには、波長λ２の光信号を受光することができる光受信部を新たに設置する必要がある。なお、新たに設置される光受信部として、波長λ２の光信号だけでなく波長λ１の光信号も受光することができる光受信部が用いられるならば、視聴者は新たに設置された光受信部のみで、既存放送と新４Ｋ・８Ｋ衛星放送との双方の放送を視聴することができる。また、上記のネットワーク構成によれば、既存放送用のネットワーク設備を流用することができるため、新４Ｋ・８Ｋ衛星放送の配信及び視聴を実現するために必要となる機器の設置コストを抑制することができる。
【０００７】
ところで、放送局においては、まず、配信番組の構成要素である映像、音声、及びデータ等のアナログ情報が、それぞれ符号化されて、デジタル信号に変換される。そして、これら符号化された各種デジタル信号が、ＭＰＥＧ２−ＴＳ（Moving Picture Experts Group 2−Transport Stream）、又はＭＭＴ・ＴＬＶ（MPEG Media Transport・Type Length Value）等の多重化方式によって多重化されることにより、パケットが生成される。そして、生成されたパケットに対して誤り訂正符号が付加される。そして、放送種別に応じた変調方式による変調が搬送波（キャリア）に対して施され、変調されたキャリア信号が放送局から送出される。このように、配信番組は、キャリア信号として放送局から送出されるが、当該キャリア信号の周波数や信号レベルは、映像種別や番組に応じて異なる。そのため、例えば、新４Ｋ・８Ｋ衛星放送が開始されると、当該新４Ｋ・８Ｋ衛星該放送の配信番組に応じたキャリア信号が新たに放送局から送出される。
【０００８】
上述したように、視聴者による新４Ｋ・８Ｋ衛星放送の視聴を可能にするためには、波長λ２の光信号を受光することができる光受信部を加入者宅に新たに設置する必要がある。更に、光受信部におけるλ２の光信号の受信レベルが、当該光受信部の最小受光感度よりも大きいレベルになるように、光伝送システムを設計する必要がある。ＦＭ一括変換方式を用いたＦＴＴＨ型ＣＡＴＶシステムにおける光伝送では、当該最小受光感度は、ＦＭ一括変換される前の周波数多重された多チャンネル信号における、所定の周波数を持つ各キャリア信号の周波数偏移量に依存することが知られている（非特許文献１参照）。当該周波数偏移量はキャリア信号ごとに異なるため、光受信部における最小受光感度もキャリア信号ごとに異なる。したがって、光受信部におけるλ２の光信号の受信レベルが、（受信を希望する）各キャリア信号ごとの最小受光感度のうち最も悪い（大きい）値の最小受光感度よりも大きい受信レベルになるように、光伝送システムを設計する必要がある。
【先行技術文献】
【非特許文献】
【０００９】
【非特許文献１】"ITU-T J.185: Transmission equipment for transferring multi-channel television signals over optical access networks by frequency modulation conversion," International Telecommunication Union, June 2012.
【発明の概要】
【発明が解決しようとする課題】
【００１０】
しかしながら、放送開始当初の新４Ｋ・８Ｋ衛星放送に対応するように最小受光感度が考慮されて光伝送システムが導入されたとしても、その後、新４Ｋ・８Ｋ衛星放送等の放送において新たなキャリア信号を用いた番組の配信が更に開始されることがありうる。このとき、新たなキャリア信号に対する最小受光感度が、従来の（放送開始当初に考慮された）キャリア信号に対する最小受光感度よりも更に悪い（大きい）値である可能性がある。この場合、放送開始当初に導入された光伝送システムのままでは、光受信部におけるλ２の光信号の受信レベルが新たなキャリア信号に対する最小受光感度に達しない場合が生じることによって、視聴者が所望の映像を視聴することができないことがあるという課題がある。
【００１１】
本発明は、上記のような技術的背景に鑑みてなされたものであり、新たなキャリア信号を用いた放送が追加された場合であっても、既存放送及び新規追加された放送の視聴を可能にする技術を提供することを目的とする。
【課題を解決するための手段】
【００１２】
本発明の一態様は、周波数多重された第１の多チャンネル信号がＦＭ一括変換方式によって変換された、第１の波長を有する第１の光信号を送信する第１の光送信部と、周波数多重された第２の多チャンネル信号がＦＭ一括変換方式によって変換された、前記第１の波長とは異なる第２の波長を有する第２の光信号を送信する第２の光送信部と、前記第１の光信号を取得し、取得した光信号に含まれる各キャリア信号を監視するキャリア監視機能部と、前記第１の光信号及び前記第２の光信号を取得し、取得した各光信号の信号強度をそれぞれ調整して出力する出力調整部と、前記出力調整部で信号強度がそれぞれ調整された前記第１の光信号と前記第２の光信号とを合波し、合波信号を出力する合波器と、前記合波信号を増幅する増幅器と、前記増幅器で増幅された前記合波信号に含まれる前記第１の光信号を受信する第１の光受信部と、前記増幅器で増幅された前記合波信号に含まれる前記第２の光信号を受信する第２の光受信部と、を備え、前記キャリア監視機能部は、前記第１の光信号に含まれる各キャリア信号の周波数偏移量を求め、該周波数偏移量に基づいて前記第１の光受信部における最小受光感度を算出し、前記出力調整部は、前記第１の光受信部によって受信される前記第１の光信号の信号強度が第１の所定値以上となり、かつ、前記第２の光受信部によって受信される前記第２の光信号の信号強度が第２の所定値以上となるように、取得した前記第１の光信号及び前記第２の光信号の信号強度をそれぞれ調整するとともに、前記第１の所定値を前記キャリア監視機能部の算出した前記第１の光受信部における最小受光感度に基づいて更新する光伝送システムである。
【００１３】
また、本発明の一態様は、上記の光伝送システムであって、前記出力調整部は、前記増幅器から出力される前記合波信号の信号強度が第３の所定値となるように、前記第１の光信号及び前記第２の光信号の信号強度をそれぞれ調整する。
【００１４】
また、本発明の一態様は、上記の光伝送システムであって、前記出力調整部は、前記合波器において生じる挿入損失、及び前記増幅器と前記第１の光受信部及び前記第２の光受信部との間において生じる伝送損失に基づいて、前記第１の光信号及び前記第２の光信号の信号強度をそれぞれ調整する。
【００１５】
また、本発明の一態様は、上記の光伝送システムであって、前記キャリア監視機能部は、さらに、前記第２の光信号を取得し、前記第２の光信号に含まれる各キャリア信号の周波数偏移量を求め、該周波数偏移量に基づいて前記第２の光受信部における最小受光感度を算出し、前記出力調整部は、さらに、前記第２の所定値を前記キャリア監視機能部の算出した前記第２の光受信部における最小受光感度に基づいて更新する。
【００１６】
また、本発明の一態様は、上記の光伝送システムであって、前記第１の光送信部から送信された前記第１の光信号と前記第２の光送信部から送信された前記第２の光信号とを合波する第２の合波器を更に備え、前記出力調整部は、前記第２の合波器で合波された光信号を取得し、取得した光信号を前記第１の光信号と前記第２の光信号とに分離し、分離した前記第１の光信号及び前記第２の光信号の信号強度をそれぞれ調整して出力する。
【００１７】
また、本発明の一態様は、上記の光伝送システムであって、前記出力調整部は、前記第１の所定値、前記合波器において生じる挿入損失、及び前記増幅器と前記第１の光受信部との間において生じる伝送損失に基づいて、前記増幅器から出力される前記合波信号に含まれる前記第１の光信号に必要とされる信号強度である第１の所要信号強度を算出し、前記第２の所定値、前記合波器において生じる挿入損失、及び前記増幅器と前記第２の光受信部との間において生じる伝送損失に基づいて、前記増幅器から出力される前記合波信号に含まれる前記第２の光信号に必要とされる信号強度である第２の所要信号強度を算出し、前記第１の所要信号強度と前記第２の所要信号強度とをそれぞれ満たすように、前記増幅器から出力される前記合波信号に含まれる前記第１の光信号及び前記第２の光信号それぞれの出力信号強度を算出し、算出されたそれぞれの前記出力信号強度になるために必要とされる、前記増幅器に入力される前記合波信号に含まれる前記第１の光信号及び前記第２の光信号のそれぞれの入力信号強度を算出し、取得した前記第１の光信号及び前記第２の光信号の信号強度の測定結果と、算出されたそれぞれの前記入力信号強度とに基づいて、取得した前記第１の光信号及び前記第２の光信号のそれぞれに対する信号強度の調整量を算出する。
【００１８】
また、本発明の一態様は、周波数多重された第１の多チャンネル信号がＦＭ一括変換方式によって変換された、第１の波長を有する光信号であって、第１の光受信部へ送信される第１の光信号と、周波数多重された第２の多チャンネル信号がＦＭ一括変換方式によって変換された、前記第１の波長とは異なる第２の波長を有する光信号であって、第２の光受信部へ送信される第２の光信号とを増幅する増幅器に入力される合波信号に含まれる、前記第１の光信号及び前記第２の光信号それぞれの信号強度を調整するキャリア監視装置であって、前記第１の光信号を取得する第１の取得部と、前記第２の光信号を取得する第２の取得部と、前記第１の取得部によって取得された前記第１の光信号の信号強度を測定する第１の測定部と、前記第２の取得部によって取得された前記第２の光信号の信号強度を測定する第２の測定部と、前記第１の測定部による測定の測定結果及び前記第２の測定部による測定の測定結果に基づいて、前記第１の光受信部によって受信される前記第１の光信号の信号強度が第１の所定値以上となり、かつ、前記第２の光受信部によって受信される前記第２の光信号の信号強度が第２の所定値以上となり、かつ、前記増幅器から出力される合波信号の信号強度が第３の所定値となるように、前記第１の取得部によって取得された前記第１の光信号の信号強度及び前記第２の取得部によって取得された前記第２の光信号の信号強度に対するそれぞれの調整量を計算する調整量計算部と、前記調整量計算部によって計算されたそれぞれの前記調整量に基づいて、前記第１の取得部によって取得された前記第１の光信号の信号強度と、前記第２の取得部によって取得された前記第２の光信号の信号強度とを調整し、前記信号強度が調整された前記第１の光信号及び前記第２の光信号を出力する信号強度調整部と、前記第１の光信号又は前記第２の光信号に含まれる各キャリア信号の周波数偏移量を求め、該周波数偏移量に基づいて前記第１の光受信部又は前記第２の光受信部における最小受光感度を算出し、該最小受光感度に基づいて前記第１の所定値又は前記第２の所定値を更新するキャリア監視機能部と、を備えるキャリア監視装置である。
【発明の効果】
【００１９】
本発明により、新たなキャリア信号を用いた放送が追加された場合であっても、既存放送及び新規追加された放送の視聴を可能にする技術を提供することができる。
【図面の簡単な説明】
【００２０】
【図１】本発明の第１の実施形態に係る新４Ｋ・８Ｋ衛星放送対応ＦＴＴＨ型ＣＡＴＶシステムのネットワーク構成を示すブロック図である。
【図２】本発明の第１の実施形態に係る出力調整装置の機能構成を示すブロック図である。
【図３】本発明の第２の実施形態に係る出力調整装置の機能構成を示すブロック図である。
【図４】本発明の第２の実施形態における光信号の信号レベルの調整量の算出処理を示すフローチャートである。
【図５】本発明の第３の実施形態に係る出力調整装置の機能構成を示すブロック図である。
【図６】本発明の第３の実施形態における光信号の信号レベルの調整量の算出処理を示すフローチャートである。
【図７】本発明の第４の実施形態に係る出力調整装置の機能構成を示すブロック図である。
【図８】新４Ｋ・８Ｋ衛星放送対応ＦＴＴＨ型ＣＡＴＶシステムのネットワーク構成の一例を示すブロック図である。
【図９】本発明の第５の実施形態に係る新４Ｋ・８Ｋ衛星放送対応ＦＴＴＨ型ＣＡＴＶシステムのネットワーク構成を示すブロック図である。
【図１０】本発明の第５の実施形態に係る出力調整装置の機能構成を示すブロック図である。
【図１１】従来のＦＴＴＨ型ＣＡＴＶシステムのネットワーク構成の一例を示すブロック図である。
【図１２】新４Ｋ・８Ｋ衛星放送対応ＦＴＴＨ型ＣＡＴＶシステムのネットワーク構成の一例を示すブロック図である。
【発明を実施するための形態】
【００２１】
＜第１の実施形態＞
以下、本発明の第１の実施形態について、図面を参照しながら説明する。
【００２２】
［ネットワーク構成］
以下、本発明の第１の実施形態に係る、新４Ｋ・８Ｋ衛星放送に対応したＦＴＴＨ型ＣＡＴＶシステム１のネットワーク構成について説明する。図１は、当該ネットワーク構成の一例を示すブロック図である。図１に示すように、ＦＴＴＨ型ＣＡＴＶシステム１（光伝送システム）は、既存放送用のヘッドエンド１１、光送信部１２、及び中継用アンプ１３と、新４Ｋ・８Ｋ衛星放送に対応したヘッドエンド２１、光送信部２２、及び中継用アンプ２３と、出力調整装置３０と、ＷＤＭフィルタ４０と、アクセス用アンプ５０と、既存放送用の光受信部６１と、新４Ｋ・８Ｋ衛星放送に対応した光受信部６２と、を含んで構成される。
【００２３】
ヘッドエンド１１は、放送局から送信される既存放送用の映像信号を乗せた電波を地上の送信塔や人工衛星等を介して受信し、受信した電波に対して増幅等の調整を行う。そして、ヘッドエンド１１は、当該映像信号に基づく電気信号を光送信部１２へ送出する。光送信部１２（第１の光送信部）は、受信した電気信号を波長λ１の光信号に変換し、当該光信号を光ファイバで構築された光伝送路７０へ送出する。
【００２４】
ヘッドエンド２１は、放送局から送信される新４Ｋ・８Ｋ衛星放送の映像信号を乗せた電波を地上の送信塔や人工衛星等を介して受信し、受信した電波に対して増幅等の調整を行う。そして、ヘッドエンド２１は、当該映像信号に基づく電気信号を光送信部２２へ送出する。光送信部２２（第２の光送信部）は、受信した電気信号を波長λ２の光信号に変換し、当該光信号を光伝送路７０へ送出する。ここで、波長λ１と波長λ２とは互いに異なる波長であるものとする。
【００２５】
光伝送路７０は、中継ＮＷ７１の区間とアクセスＮＷ７２の区間とに分けられる。中継ＮＷ７１は、光送信部１２及び光送信部２２とアクセスＮＷとの間をそれぞれつなぐ通信ネットワークである。中継ＮＷ７１では、既存放送用の中継用アンプ１３及び新４Ｋ・８Ｋ衛星放送用の中継用アンプ２３がそれぞれ多段構成される。
【００２６】
初段の中継用アンプ１３には、光送信部１２から送出された波長λ１の光信号が入力される。各々の中継用アンプ１３は、増幅した光信号を、後段の他の中継用アンプ１３へ送出したり、アクセスＮＷ７２の区間内の出力調整装置３０へ送出したりする。初段の中継用アンプ２３には、光送信部２２から送出された波長λ２の光信号が入力される。各々の中継用アンプ２３は、増幅した光信号を、後段の他の中継用アンプ２３へ送出したり、アクセスＮＷ７２の区間内の出力調整装置３０へ送出したりする。
【００２７】
一方、アクセスＮＷでは、一般的に、中継用アンプ１３及び中継用アンプ２３から受信した光信号を複数の加入者宅へ分配するためにＰＯＮ構成が適用される。
【００２８】
出力調整装置３０（出力調整部）は、中継用アンプ１３から送出された波長λ１の光信号と、中継用アンプ２３から送出された波長λ２の光信号と、を取得する。出力調整装置３０は、取得した双方の光信号の信号レベル（信号強度）を必要に応じてそれぞれ調整し、当該双方の光信号をＷＤＭフィルタ４０へそれぞれ調整された出力レベルで出力する。
【００２９】
ＷＤＭフィルタ４０（合波器）は、出力調整装置３０から出力された波長λ１の光信号と波長λ２の光信号とを合波し、合波信号をアクセス用アンプ５０へ送出する。
【００３０】
アクセス用アンプ５０は、ＰＯＮ構成による光信号の分配に伴う損失の補償等を目的として設置された増幅器である。アクセス用アンプ５０は、ＷＤＭフィルタ４０から送出された光信号（合波信号）を増幅する。そして、アクセス用アンプ５０は、増幅された光信号を、当該アクセス用アンプ５０の後段に構築されたＰＯＮを介して光受信部６１及び光受信部６２へ送出する。光受信部６１及び光受信部６２は、例えば各々の加入者宅等に設置され、それぞれ波長λ１及び波長λ２の光信号を終端する。
【００３１】
アクセス用アンプ５０は、例えばＥＤＦＡ（Erbium-Doped Fiber Amplifier；エルビウム添加ファイバ増幅器）等の光ファイバ増幅器である。この光ファイバ増幅器は、複数の波長の光信号が入力される場合であっても、一括して光信号のまま増幅することができる。また、ＡＰＣ（Automatic Power Control；自動パワー制御）機能が搭載された光ファイバ増幅器は、当該光ファイバ増幅器への光信号の入力レベルが変動する場合であっても、変動が許容範囲であるならば光信号の出力レベルを一定に保つように制御することができる。但し、当該ＡＰＣ機能は、入力される光信号が波長の異なる複数の光信号の合波信号である場合には、当該合波信号に対する出力レベルを一定にするように制御する。すなわち、入力される光信号が波長λ１の光信号と波長λ２の光信号との合波信号である場合、ＡＰＣ機能は、波長λ１の光信号の出力レベルと波長λ２の光信号の出力レベルとをそれぞれ一定にする制御を行うわけではない。
【００３２】
光受信部６１（第１の光受信部）は、既存放送用の中継用アンプ１３から出力された波長λ１（第１の波長）の光信号（第１の光信号）を受信することができる。また、光受信部６２（第２の光受信部）は、新４Ｋ・８Ｋ衛星放送に対応した中継用アンプ２３から出力された波長λ２（第２の波長）の光信号（第２の光信号）を受信することができる。なお、図１においては、図面を見易くするため、光受信部６１と光受信部６２とをそれぞれ１つずつ図示しているが、実際には光受信部６１及び光受信部６２のうち少なくとも一方が複数の加入者宅にそれぞれ設置されている。
【００３３】
［出力調整装置の概要］
以下、本発明の第１の実施形態に係るＦＴＴＨ型ＣＡＴＶシステム１の出力調整装置（キャリア監視装置）３０の概要について説明する。出力調整装置３０は、入力された波長λ２の光信号の一部を分岐して復調処理を行うことによって、所定の周波数を持つ各キャリア信号を抽出する。出力調整装置３０は、抽出された各々のキャリア信号に対して周波数偏移量をそれぞれ算出する。更に、出力調整装置３０は、ＦＭ一括変換方式による変換処理を適用した場合における波長λ２の光信号に含まれる各々のキャリア信号が光受信部６２によって正常に受信されるために必要となる各最小受光感度を、上記算出された各周波数偏移量を用いて算出する。
【００３４】
そして、出力調整装置３０ｄは、算出された各最小受光感度のうち、最も悪い（大きい）値を、光受信部６２における波長λ２の光信号についての所要最小受光感度と見なす。そして、出力調整装置３０ｄは、光受信部６２における波長λ２の光信号の受光レベルがその所要最小受光感度を満たすように、入力された波長λ２の光信号の信号レベルを適切に調整して、当該波長λ２の光信号をＷＤＭフィルタ４０へ出力する。
【００３５】
ここで、新規のキャリア信号が波長λ２の光信号に追加された場合、当該新規キャリア信号に対応する最小受光感度が、それまでの（すなわち、新規のキャリア信号が波長λ２の光信号に追加される前の時点における）所要最小受光感度の値よりも悪い（大きい）値である場合がある。この場合、出力調整装置３０は、新規キャリア信号に対応する最小受光感度の値を新たな所要最小受光感度として更新し、更新された所要最小受光感度を満たすように、波長λ２の光信号の信号レベルを調整する。
【００３６】
以下、新規のキャリア信号が追加されたことを検知する方法の一例について説明する。まず、外部の制御端末（図示せず）等により、各キャリア信号についての情報（例えば、各キャリア信号の周波数等）が、出力調整装置３０に予め登録される。出力調整装置３０は、入力された波長λ２の光信号に含まれるキャリア信号を受信した場合、受信したキャリア信号についての情報と、上記予め登録された各キャリア信号についての情報とを比較する。
【００３７】
受信したキャリア信号についての情報と上記予め登録された各キャリア信号についての情報のいずれかとが一致し、かつ、出力調整装置３０が当該受信したキャリア信号をこれまでに受信していなかった場合、出力調整装置３０は、当該受信したキャリア信号を新規のキャリア信号と見なす。なお、出力調整装置３０は、ノイズを新規キャリア信号であると誤検知しないように、受信したキャリア信号のレベルが所定値以上であることをもって当該キャリア信号を検知したとすることが望ましい。また、出力調整装置３０は、新規のキャリア信号についての情報を保持することによって、以降においては、同一のキャリア信号を受信しても新規のキャリア信号であるとは見なさないようにすることができる。
【００３８】
上記のような方法により、出力調整装置３０は、新規のキャリア信号を検知することができる。
【００３９】
出力調整装置３０によって信号レベルの調整がなされた光信号は、ＷＤＭフィルタ４０を介してアクセス用アンプへ５０入力される。
【００４０】
なお、ＡＰＣ機能が搭載されたアクセス用アンプ５０からの波長λ１の光信号と波長λ２の光信号それぞれの出力レベルが適切な出力レベルになるように予めシステム設計がなされていたとしても、新規のキャリア信号の追加に伴う所要最小受光感度の悪化に対処させるようにアクセス用アンプ５０からの波長λ２の光信号分の出力レベルを大きくすると、必然的に、新規のキャリアが追加される以前と比べて、波長λ１の光信号分の出力レベルが小さくなってしまう。このため、出力調整装置３０は、所要最小受光感度の悪化による波長λ２の光信号分の出力レベルの増大に備え、波長λ１の光信号分の出力レベルがある程度小さくなったとしても、既存放送の配信及び視聴に影響がないように予め設計がなされているものとする。
【００４１】
上記のような前提のもとで、出力調整装置３０は、受信するキャリア信号を監視し、新規のキャリア信号を検知して当該キャリア信号の最小受光感度を認識する。そして、出力調整装置３０は、光受信部６２における所要最小受光感度の悪化の有無を判断し、悪化した場合であっても、新規のキャリア信号が光受信部６２によって正常に受信されるように、アクセス用アンプ５０から出力される波長λ１の光信号及び波長λ２の光信号の出力レベルを必要に応じて制御する。
【００４２】
［出力調整装置の機能構成］
以下、出力調整装置３０の機能構成について説明する。図２は、出力調整装置３０の機能構成を示すブロック図である。図２に示すように、出力調整装置３０は、既存放送用の光信号分岐部３１１及び受光レベル測定部３１２と、新４Ｋ・８Ｋ衛星放送用の光信号分岐部３２１及び受光レベル測定部３２２と、設定テーブル記憶部３３０と、出力レベル計算部３４０と、出力レベル調整部３５０と、キャリア監視機能部３７０と、を含んで構成される。また、キャリア監視機能部３７０は、ダミーＶ−ＯＮＵ部３２３と、受光感度算出部３２４と、を含んで構成される。
【００４３】
光信号分岐部３１１（第１の取得部）は、中継用アンプ１３から送出された、既存放送用の波長λ１の光信号を取得する。光信号分岐部３１１は、取得した光信号を受光レベル測定部３１２と出力レベル調整部３５０とへそれぞれ出力する。光信号分岐部３１１は、例えば光カプラを含んで構成される。
【００４４】
受光レベル測定部３１２（第１の測定部）は、光信号分岐部３１１から出力された、既存放送用の波長λ１の光信号を取得する。受光レベル測定部３１２は、取得した光信号の受光レベルを測定する。そして、受光レベル測定部３１２は、測定結果を示す情報を出力レベル計算部３４０へ出力する。
【００４５】
光信号分岐部３２１（第２の取得部）は、中継用アンプ２３から送出された、新４Ｋ・８Ｋ衛星放送用の波長λ２の光信号を取得する。光信号分岐部３２１は、取得した光信号を、受光レベル測定部３２２とダミーＶ−ＯＮＵ部３２３と出力レベル調整部３５０とへそれぞれ出力する。光信号分岐部３２１は、例えば光カプラを含んで構成される。
【００４６】
受光レベル測定部３２２（第２の測定部）は、光信号分岐部３２１から出力された、新４Ｋ・８Ｋ衛星放送用の波長λ２の光信号を取得する。受光レベル測定部３２２は、取得した光信号の受光レベルを測定する。そして、受光レベル測定部３２２は、測定結果を示す情報を出力レベル計算部３４０へ出力する。
【００４７】
ダミーＶ−ＯＮＵ部３２３は、加入者宅に設置される光受信部６２に相当する機能を具備する。ダミーＶ−ＯＮＵ部３２３は、光信号分岐部３２１から出力された波長λ２の光信号を取得する。ダミーＶ−ＯＮＵ部３２３は、取得した光信号を電気信号へ変換して、ＦＭ一括変換により１チャンネルの広帯域なＦＭ信号に変換する。ダミーＶ−ＯＮＵ部３２３は、当該ＦＭ信号を復調することによって、所定の周波数を持つ各キャリア信号を抽出する。そして、ダミーＶ−ＯＮＵ部３２３は、抽出された各キャリア信号を受光感度算出部３２４へ出力する。
【００４８】
受光感度算出部３２４は、ダミーＶ−ＯＮＵ部３２３から出力された各キャリア信号を取得する。また、受光感度算出部３２４は、設定テーブル記憶部３３０に記憶された、後述する第１設定テーブルに設定されたパラメータ値を取得する。受光感度算出部３２４は、当該パラメータ値を用いて、各キャリア信号の周波数偏移量を算出する。更に、受光感度算出部３２４は、算出された周波数偏移量を用いて、各キャリア信号に対する、光受信部６２における最小受光感度を算出する。受光感度算出部３２４は、算出された各キャリア信号の最小受光感度の値のうち最も悪い（大きい）値を示す情報（最小受光感度情報）を、設定テーブル記憶部３３０へ出力する。
【００４９】
このように、新規放送開始等に伴って新たなキャリア信号が追加された場合であっても、受光感度算出部３２４が、常時、定期的に、又は不定期に、キャリア信号を監視して最小受光感度等を算出することによって、新規のキャリア信号を検出することができる。そして、受光感度算出部３２４は、新規キャリア信号に対応する最小受光感度を算出し、設定テーブル記憶部３３０に記憶された、後述する第２設定テーブルを更新させることができる。
【００５０】
なお、周波数偏移量及び最小受光感度の算出は、非特許文献１に規定された算出式に基づいて行うことができる。また、周波数偏移量及び最小受光感度の算出は、常時実施されなくてもよく、例えば、定期的に又は不定期に実施される構成であってもよい。また、設定テーブル記憶部３３０への最小受光感度情報の出力は、最小受光感度が初めて算出された場合、及び、算出された最小受光感度の値が前回算出された値と異なっている（大きい）場合のみに実施されるような構成であってもよい。
【００５１】
設定テーブル記憶部３３０は、第１設定テーブルと第２設定テーブルとを記憶する。設定テーブル記憶部３３０は、例えば、ＲＡＭ（Random Access Memory；読み書き可能なメモリ）、フラッシュメモリ、ＥＥＰＲＯＭ（Electrically Erasable Programmable Read Only Memory）、及びＨＤＤ（Hard Disk Drive）等の記憶媒体、又はこれらの記憶媒体の任意の組み合わせによって構成される。
【００５２】
第１設定テーブルは、周波数偏移量及び最小受光感度の算出に必要となる各種パラメータのパラメータ値が予め設定される。当該パラメータ値は、受光感度算出部３２４からの要求に応じて、当該受光感度算出部３２４へ出力される。
第２設定テーブルは、出力レベルの調整（調整量の算出及び決定）に必要となる各種パラメータのパラメータ値が設定される。なお、第２設定テーブルに設定される各種パラメータには、例えば以下の（Ａ）〜（Ｅ）のパラメータが含まれる。
【００５３】
（Ａ）アクセス用アンプ５０における、光信号（合波信号）の仕様上の出力レベル又は設定上の出力レベル（第３の所定値）。
（Ｂ）光受信部６１における、波長λ１の光信号の最小受光感度（第１の所定値）、及び、光受信部６２における、波長λ２の光信号の最小受光感度（第２の所定値）。
（Ｃ）アクセス用アンプ５０と光受信部６１との間の光ファイバ伝送における、波長λ１の光信号についての伝送損失、及び、アクセス用アンプ５０と光受信部６２との間の光ファイバ伝送における、波長λ２の光信号についての伝送損失。
（Ｄ）ＷＤＭフィルタ４０における、波長λ１の光信号についての挿入損失、及び、波長λ２の光信号についての挿入損失。
（Ｅ）光信号分岐部３１１における波長λ１の光信号の分岐損失、及び、光信号分岐部３２１における波長λ２の光信号の分岐損失。
【００５４】
受光感度算出部３２４から出力された最小受光感度情報が示す最小受光感度の値が、第２設定テーブルに設定された、上述した（Ｂ）のパラメータのパラメータ値のうち、波長λ２の光信号の最小受光感度を示す値よりも悪い（大きい）値である場合、設定テーブル記憶部３３０ｄは、当該（Ｂ）のパラメータのパラメータ値を更新する。
【００５５】
なお、このように（Ｂ）のパラメータのパラメータ値が更新された場合に、設定テーブル記憶部３３０ｄが、出力レベル計算部３４０からの設定情報の要求の有無に関わらず、当該出力レベル計算部３４０ｄへ、パラメータ値が更新されたことを示す情報（所要最小受光感度更新通知）を出力する構成であってもよい。これにより、出力レベル計算部３４０ｄは、（Ｂ）のパラメータのパラメータ値が更新されたことを速やかに認識でき、速やかに光信号の出力レベルの調整量を再計算することができる。
【００５６】
第２設定テーブルに設定される（Ａ）〜（Ｅ）のパラメータは、上述したように、主に、光信号の出力レベルの調整に要するパラメータである。一方、第１設定テーブルに設定されるパラメータは、上述したように周波数偏移量及び最小受光感度の算出に要するパラメータである。当該第１設定テーブルに設定されるパラメータとしては、例えば、波長λ２の光信号側の光送信部２２へのキャリア信号の入力レベルの値、及び、ＦＭ一括変換信号の光変調度等の値等である。なお、第１設定テーブルに設定されるこれらのパラメータの算出方法としては、非特許文献１に規定されている方法を用いることができる。
【００５７】
なお、設定テーブル記憶部３３０に記憶された第１設定テーブル及び第２設定テーブルに対して各種パラメータのパラメータ値を予め設定するための構成としては、例えば、出力調整装置３０に対して制御用インタフェース（図示せず）を介して外部制御機器（図示せず）を接続し、当該外部制御機器を介してＣＬＩ（Command Line Interface）により設定が行われるような構成にしてもよい。あるいは、例えば、第１設定テーブル及び第２設定テーブルへのパラメータ値の設定を指示するための制御フレームが予め定義され、当該制御フレームが、上位のネットワーク機器から伝送路を介して出力調整装置３０へ送信されることによって設定が行われるような構成にしてもよい。但し、第２設定テーブルに設定された（Ｂ）のパラメータのパラメータ値のうち、波長λ２の光信号についての最小受光感度の値については、上述したように、受光感度算出部３２４から出力された最小受光感度情報に応じて更新がなされることがある。
【００５８】
なお、当該更新は、第２設定テーブルに設定された最小受光感度の値よりも最小受光感度情報に基づく最小受光感度の値の方が悪い（大きい）値である場合に行われるだけでなく、第２設定テーブルに最小受光感度の値が設定されていない場合にも行われる（すなわち、新規に設定される）ような構成であってもよい。
【００５９】
なお、本実施形態においては、２種類の波長（波長λ１及び波長λ２）の光信号を用いるＦＴＴＨ型ＣＡＴＶシステムを想定していることから、上記（Ｂ）〜（Ｅ）のパラメータについては、波長λ１の光信号と波長λ２の光信号についての各パラメータ値がそれぞれ第２設定テーブルに設定される。そのため、３種類以上の波長の光信号を用いるＦＴＴＨ型ＣＡＴＶシステムである場合には、これら３種類の波長の光信号についての各パラメータ値がそれぞれ第２設定テーブルに設定されることが望ましい。
【００６０】
出力レベル計算部３４０（調整量計算部）は、受光レベル測定部３１２から出力された、既存放送用の波長λ１の光信号の受光レベルの測定結果を示す情報を取得する。また、出力レベル計算部３４０は、受光レベル測定部３２２から出力された、新４Ｋ・８Ｋ衛星放送用の波長λ２の光信号の受光レベルの測定結果を示す情報を取得する。また、出力レベル計算部３４０は、設定テーブル記憶部３３０に記憶された第２設定テーブルに設定されたパラメータ値を取得する。
【００６１】
そして、出力レベル計算部３４０は、受光レベル測定部３１２から取得した測定結果を示す情報、受光レベル測定部３２２から取得した測定結果を示す情報、及び設定テーブル記憶部３３０から取得したパラメータ値に基づいて、波長λ１の光信号の出力レベルに関する調整量と、波長λ２の光信号の出力レベルに関する調整量とを、それぞれ計算する。なお、当該調整量の計算方法については後述する。出力レベル計算部３４０は、波長λ１の光信号及び波長λ２の光信号の出力レベルに関するそれぞれの調整量の計算結果を示す情報を、出力レベル調整部３５０へ出力する。
【００６２】
出力レベル調整部３５０（信号強度調整部）は、出力レベル計算部３４０から出力された、波長λ１の光信号及び波長λ２の光信号の出力レベルに関するそれぞれの調整量の計算結果を示す情報を取得する。これにより、出力レベル調整部３５０は、波長λ１の光信号の出力レベルに対する調整量、及び、波長λ２の光信号の出力レベルに対する調整量をそれぞれ認識する。
【００６３】
また、出力レベル調整部３５０は、光信号分岐部３１１から出力された、既存放送用の波長λ１の光信号を取得し、取得した光信号をＷＤＭフィルタ４０へ出力する。ここで、出力レベル調整部３５０は、ＷＤＭフィルタ４０へ出力する波長λ１の光信号の出力レベルに対して、上記認識した調整量に応じて増幅又は減衰する調整を行う。また、出力レベル調整部３５０は、光信号分岐部３２１から出力された、新４Ｋ・８Ｋ衛星放送用の波長λ２の光信号を取得し、取得した光信号をＷＤＭフィルタ４０へ出力する。ここで、出力レベル調整部３５０は、ＷＤＭフィルタ４０へ出力する波長λ２の光信号の出力レベルに対して、上記認識した調整量に応じて増幅又は減衰する調整を行う。
【００６４】
なお、受光感度算出部３２４から設定テーブル記憶部３３０への最小受光感度情報の出力に伴って波長λ２の光信号の所要最小受光感度（（Ｂ）のパラメータのパラメータ値）が更新された場合には、出力レベル計算部３４０が、速やかに調整量の再計算を行うことが望ましい。そこで、上述したように、設定テーブル記憶部３３０が、出力レベル計算部３４０からの設定情報の要求の有無に関わらず、当該出力レベル計算部３４０へ、所要最小受光感度が更新されたことを示す情報（所要最小受光感度更新通知）を出力する構成であってもよい。
【００６５】
あるいは、出力レベル計算部３４０が、設定テーブル記憶部３３０に対して定期的に設定情報の出力を要求し、設定テーブル記憶部３３０が、設定情報をその都度又は更新時のみに出力レベル計算部３４０へ出力する構成であってもよい。この場合、出力レベル計算部３４０から設定テーブル記憶部３３０への設定情報の出力要求の時間間隔を短くするほど、出力レベル計算部３４０が、より速やかに所要最小受光感度の更新を認識することができる。
【００６６】
上記のような構成によって出力レベル計算部３４０が所要最小受光感度の更新を認識した場合、出力レベル計算部３４０は、第１の実施形態において説明した手順１から、調整量の計算をやり直す。但し、この場合、上記手順１の計算において用いられるパラメータ値のうち、波長λ２の光信号に対応する最小受光感度の値については、更新後の値が用いられることになる。
【００６７】
［調整量の計算手順］
以下、出力レベル計算部３４０によって行われる、光信号の出力レベルの調整量の計算手順の一例について説明する。出力レベル計算部３４０は、以下の手順１〜４に沿って計算を行う。
【００６８】
・手順１．アクセス用アンプ５０からの波長ごとの所要出力レベルの算出
出力レベル計算部３４０は、光受信部６１において波長λ１の光信号の受光レベルが当該光受信部６１の波長λ１の光信号の最小受光感度以上となるようにするために必要となる、アクセス用アンプ５０における波長λ１の光信号の所要出力レベル（第１の所要信号強度）を算出する。また、出力レベル計算部３４０は、光受信部６２において波長λ２の光信号の受光レベルが当該光受信部６２の波長λ２の光信号の最小受光感度以上となるようにするために必要となる、アクセス用アンプ５０における波長λ２の光信号の所要出力レベル（第２の所要信号強度）をそれぞれ算出する。このとき、出力レベル計算部３４０は、上記設定テーブルに設定された（Ｂ）及び（Ｃ）のパラメータのパラメータ値に基づき、各光受信部（光受信部６１及び光受信部６２）それぞれの最小受光感度と、アクセス用アンプ５０と各光受信部との間のそれぞれの距離に応じた伝送損失とを考慮して、それぞれの所要出力レベルを算出する。
【００６９】
・手順２．アクセス用アンプ５０からの波長ごとの出力レベルの決定
出力レベル計算部３４０は、アクセス用アンプ５０から出力される光信号（合波信号）の出力レベル（すなわち、波長λ１の光信号の出力レベルと波長λ２の光信号の出力レベルとの和）が、上記設定テーブルに設定された（Ａ）のパラメータのパラメータ値（ここでは、Ｚ［ｍＷ（ミリワット）］とする。）と等しくなるように、アクセス用アンプ５０における、波長λ１の光信号の出力レベル（ここでは、Ｘ［ｍＷ］とする。）と波長λ２の光信号の出力レベル（ここでは、Ｙ［ｍＷ］とする。）とを決定する。すなわち、Ｚ＝Ｘ＋Ｙである。このとき、出力レベル計算部３４０は、波長λ１の光信号の出力レベルが上記手順１によって算出された波長λ１の光信号の所要出力レベル以上であり、かつ、波長λ２の光信号分の出力レベルが上記手順１によって算出された波長λ２の光信号の所要出力レベル以上であるという条件を満たすように、それぞれの出力レベル（出力信号強度）を決定する。
【００７０】
なお、上記の条件を満たす、Ｘ及びＹの値の組み合わせは無数に存在しうる。用いるＸ及びＹの値の組み合わせを決定する方法としては、例えば、手順１によって算出された波長λ１の光信号の所要出力レベル（ここでは、Ｘ’［ｍＷ］とする。）と波長λ２の光信号の所要出力レベル（ここでは、Ｙ’［ｍＷ］とする。）との比と、Ｘの値とＹの値との比と、を一致させるようにＸ及びＹの値を決定する方法を用いることができる。具体的には、以下の（１）式によってＸ及びＹの値が決定される。
【００７１】
Ｘ＝Ｚ×（Ｘ’／（Ｘ’＋Ｙ’））
Ｙ＝Ｚ×（Ｙ’／（Ｘ’＋Ｙ’））    ・・・（１）
【００７２】
あるいは、用いるＸ及びＹの値の組み合わせを決定するその他の決定方法として、例えば、Ｙの値を波長λ２の光信号の所要出力レベルであるＹ’として、Ｘの値を、Ｘ＝Ｚ−Ｙ’によって算出された値に決定する方法が用いられてもよい。この後者の決定方法では、波長λ２の光信号の出力レベルに対しては最低限の出力レベル（すなわち、所要出力レベル）しか割り振られないため、相対的に波長λ１の光信号の出力レベルに対してより多くの出力レベルが割り振られる。
【００７３】
上述したように、本実施形態におけるネットワーク構成（図１）では波長λ２の光信号が入力されることから、従来のネットワーク構成（図１１）の場合と比べて、アクセス用アンプ５０から出力される合波信号の出力レベルにおける、波長λ１の光信号分の出力レベルが必然的に低下する。これにより、例えば、従来のネットワーク構成から本実施形態におけるネットワーク構成へ拡張された際に（すなわち、新４Ｋ・８Ｋ衛星放送への対応がなされた際に）、従来のネットワーク構成では視聴可能であった既存放送を視聴することができなくなってしまう視聴者が発生しうる。なお、このような視聴者は、とくに信号減衰による影響が大きい遠方の視聴者により多く発生する。このような視聴者の発生を極力抑えるためには、アクセス用アンプ５０から出力される合波信号の出力レベルにおいて、波長λ１の光信号分の出力レベルをより大きくする（すなわち、合波信号の出力レベルの値により近づける）ことが必要である。したがって、この後者の決定方法は、上記のような視聴者の発生を抑制することに対して有効であると言える。
【００７４】
・手順３．アクセス用アンプ５０への波長ごとの入力レベルの決定
出力レベル計算部３４０は、アクセス用アンプ５０へ入力される合波信号に含まれる波長λ１の光信号及び波長λ２の光信号の入力レベルをそれぞれ決定する。このとき、出力レベル計算部３４０は、アクセス用アンプ５０から出力される波長λ１の光信号及び波長λ２の光信号分の出力レベルがそれぞれ上記手順２によって決定されたＸ及びＹの値になるように、アクセス用アンプ５０へ入力される波長λ１の光信号分及び波長λ２の光信号の入力レベル（入力信号強度）をそれぞれ決定する。ここで、アクセス用アンプ５０へ入力される波長λ１の光信号及び波長λ２の光信号の入力レベルをそれぞれｘ［ｍＷ］及びｙ［ｍＷ］とすれば、出力レベル計算部３４０は、例えば、以下の（２）式を満たすようにｘ及びｙの値を決定すればよい。
【００７５】
Ｘ：Ｙ＝ｘ：ｙ    ・・・（２）
【００７６】
このように、出力レベル計算部３４０は、波長λ１の光信号の出力レベルと波長λ２の光信号の出力レベルとの比に一致させるように、波長λ１の光信号の入力レベルと波長λ２の光信号の入力レベルとの比を制御することによって、アクセス用アンプ５０から出力される波長λ１の光信号の出力レベル及び波長λ２の光信号の出力レベルを、所望のＸ及びＹの値に制御することができる。
【００７７】
なお、上記の条件を満たす、ｘ及びｙの値の組み合わせは無数に存在しうる。但し、たとえどのようなｘ及びｙの値の組み合わせが用いられたとしても、ｘの値とｙの値との和がアクセス用アンプ５０における仕様上（又は設定上）の許容値を満たしているならば、アクセス用アンプ５０から出力される光信号（合波信号）の出力レベルのうち、波長λ１の光信号分の出力レベルは上記手順２によって決定されたＸの値となり、波長λ２の光信号分の出力レベルは上記手順２によって決定されたＹの値となる。したがって、問題は生じない。しかしながら、後述する手順４において、取得した波長λ１の光信号の入力レベル及び波長λ２の光信号の入力レベルを、この手順３によって決定されたｘ及びｙの値になるように調整する調整処理を行うことから、出力レベル調整部３５０における当該調整処理がより簡単に行えるようなｘ及びｙの値の組み合わせが用いられることが望ましい。
【００７８】
具体的には、調整処理として、受光信号に対する増幅又は減衰による調整処理を用いることができるが、増幅による調整を要する場合、一般的に減衰機能と比べて相対的に装置構成が複雑である増幅機能を、出力調整装置３０に対して具備させる必要が生じる。したがって、信号減衰のみで上記の調整処理を行うことができるような、ｘ及びｙの値の組み合わせを用いることが望ましい。
【００７９】
なお、信号減衰のみで上記の調整処理を行うことができるｘ及びｙの値の組み合わせに決定するための具体的な決定方法として、例えば、波長λ１の光信号の出力レベルＸと波長λ２の光信号の出力レベルＹとの和（Ｘ＋Ｙ）が、上記設定テーブルに設定された（Ａ）のパラメータのパラメータ値Ｚとなる条件を満たすとともに、ｘ＋ｙの値が、アクセス用アンプ５０における仕様上の入力レベルの最小値となるような方法を用いることができる。
【００８０】
このような調整方法を用いることによって、減衰機能のみで波長λ１及び波長λ２の光信号の出力レベルを調整できる可能性がより高くなるため、出力調整装置３０の装置構成の複雑化を回避し易くなる。
【００８１】
・手順４．調整量の算出
出力レベル計算部３４０は、アクセス用アンプ５０へ入力される波長λ１の光信号の入力レベルと波長λ２の光信号の入力レベルとを上記手順３によって決定されたｘの値とｙの値とそれぞれ等しくするために必要となる、波長λ１の光信号に対する信号レベルの調整量と波長λ２の光信号に対する信号レベルの調整量とをそれぞれ算出する。ここで、出力レベル計算部３４０は、受光レベル測定部３１２から取得した波長λ１の光信号の受光レベルの値、受光レベル測定部３２２から取得した波長λ２の各受光レベルの値、及び、設定テーブル記憶部３３０から取得した上記（Ｄ）及び（Ｅ）のパラメータのパラメータ値を用いて、それぞれの調整量を算出する。出力レベル計算部３４０は、算出された波長λ１の光信号に対する信号レベルの調整量と波長λ２の光信号に対する信号レベルの調整量とを示す情報を、出力レベル調整部３５０へ出力する。
【００８２】
上述した手順１〜４によって、出力レベル計算部３４０は、光信号分岐部３１１を介して出力レベル調整部３５０へ入力される波長λ１の光信号に対して適用されるべき調整量、及び、光信号分岐部３２１を介して出力レベル調整部３５０へ入力される波長λ２の光信号に対して適用されるべき調整量を、それぞれ算出することができる。
【００８３】
なお、本実施形態では、放送用として、光送信部１２及び光送信部２２から波長λ１及び波長λ２の光信号がそれぞれ連続的にＦＴＴＨ型ＣＡＴＶシステム1に対して伝送される構成を想定している。しかし、出力調整装置３０における波長λ１の光信号の受光レベルと波長λ２の光信号の受光レベルとは常に一定であるとは限らず、一般的に、少なくとも受光レベルの微小な変動は常時生じうる。このような微小な変動に追従させるように、その都度、調整量を再計算させ、出力レベル調整部３５０による調整処理を制御させることは、出力調整装置３０における負荷等の観点から現実的ではない。
【００８４】
そこで、出力レベル計算部３４０は、例えば、受光レベル測定部３１２及び受光レベル測定部３２２からそれぞれ得られる、波長λ１の光信号の受光レベル及び波長λ２の光信号の受光レベルの値が微小な変動を伴っていたとしても、ある程度の変動は誤差の範囲内であるものとして許容し、それまでの時点における（すなわち、変動前の）調整量に基づく調整を継続するようにしてもよい。
【００８５】
具体的には、まず、許容範囲とする変動量の値が、例えば設定テーブル記憶部３３０又は出力レベル計算部３４０が備える記憶媒体（図示せず）等に予め設定される。例えば、許容範囲として±ΔＰ［ｍＷ］の値が予め設定される。次に、出力レベル計算部３４０は、受光レベル測定部３１２及び受光レベル測定部３２２から最初に通知される波長λ１の光信号の受光レベル（ここでは、Ｐ１［ｍＷ］とする。）と波長λ２の光信号の受光レベル（ここでは、Ｐ２［ｍＷ］とする。）とを基準レベルとして、調整量をそれぞれ算出する。そして、出力レベル計算部３４０は、各波長についての受光レベルの変動が「Ｐ１±ΔＰ」及び「Ｐ２±ΔＰ」を満たす範囲内であり続ける限りは、許容される変動であるものと見なし、上記の調整量の算出処理を実行しない。そして、出力レベル計算部３４０は、受光レベルの変動が許容範囲を超えた場合に限り、その時点での受光レベルの値を新たな基準レベルとして更新し（すなわち、上記Ｐ１及びＰ２の値を更新し）、更新された受光レベルの値を用いて調整量を再計算するようにしてもよい。
【００８６】
以上説明したように、本実施形態に係る出力調整装置３０によれば、入力された波長λ１の光信号及び波長λ２の光信号に対してそれぞれ適切な信号レベルの調整が施されて出力され、上述した所望のｘ及びｙの値の組み合わせとなる信号レベルの光信号がアクセス用アンプ５０へ入力される。そして、当該ｘとｙの値の組み合わせとなる信号レベルで光信号がアクセス用アンプ５０へ入力されるため、波長λ１の光信号及び波長λ２の光信号は、それぞれ上述した所望のＸ及びＹの値となる出力レベルでアクセス用アンプ５０から出力される。これにより、本実施形態に係る出力調整装置３０によれば、波長λ１の光信号及び波長λ２の光信号は、所望の配信エリア内の加入者宅内の各光受信部が受光可能な信号レベルで確実に伝送されるため、既存放送及び新４Ｋ・８Ｋ衛星放送の双方の放送を各視聴者に視聴させることを可能にする。
【００８７】
また、本実施形態に係る出力調整装置３０によれば、出力調整装置３０が導入された後に、例えば新４Ｋ・８Ｋ衛星放送等において新規のキャリア信号を用いた配信番組が新たに追加され、これに伴って光受信部６２における所要最小受光感度が悪化した場合であっても、出力調整装置３０は、悪化した所要最小受光感度の値を算出し、光受信部６１及び光受信部６２に対して適切な信号レベルとなるように、アクセス用アンプ５０から出力される波長λ１の光信号及び波長λ２の光信号の信号レベルの調整を行うことができる。これにより、本実施形態に係る出力調整装置３０によれば、新規のキャリア信号を用いた配信番組が追加された場合であっても、波長λ１の光信号及び波長λ２の光信号は所望の配信エリア内の加入者宅内の光受信部６１及び光受信部６２によって確実に受信され、視聴者は、既存放送及び新規に追加された放送を視聴することができる。
【００８８】
＜第２の実施形態＞
以下、本発明の第２の実施形態について説明する。
既存放送で使われていない周波数を用いた新たな放送が開始される場合、当該放送の開始日時は、本国においては例えば総務省等から、事前に広く周知されることが想定される。したがって、既存放送で使われていない新たなキャリアの映像信号が、突然、加入者宅の光送信部に入力され始める状況は生じにくいと考えられる。したがって、上述した第１の実施形態に係る出力調整装置３０のキャリア監視機能部３７０を常時稼動させておく必要はない場合が多いと考えられる。
【００８９】
以上のことから、既存放送で使われていない周波数を用いた新たな放送が開始される場合に限ってキャリア監視機能部３７０を稼動させるようにし、キャリア監視機能部３７０による最小受光感度等の計算処理が完了した後に、再び当該キャリア監視機能部３７０の稼働を停止させるようにすることが、出力調整装置３０にかかるシステム負荷等の観点から望ましいと言える。
【００９０】
第２の実施形態に係る出力調整装置３０ｂのキャリア監視機能部３７０ｂ（キャリア監視装置）は、キャリア監視機能（すなわち、ダミーＶ−ＯＮＵ部３２３及び受光感度算出部３２４が有する機能）の、オン（ＯＮ）／オフ（ＯＦＦ）の切換えを行うことができる構成を備える。
【００９１】
図３は、本発明の第２の実施形態に係る出力調整装置３０ｂの機能構成を示すブロック図である。図３に示すように、キャリア監視機能部３７０ｂは、ＣＬＩによって入力された指示情報に基づいて、自己のキャリア監視機能のＯＮ／ＯＦＦの切換えを行う。入力された指示情報が、キャリア監視機能をＯＦＦにさせる指示を示す指示情報であった場合、キャリア監視機能部３７０ｂは、ダミーＶ−ＯＮＵ部３２３及び受光感度算出部３２４が有する機能の稼働を停止させる。一方、入力された指示情報が、キャリア監視機能をＯＮにさせる指示を示す指示情報であった場合、キャリア監視機能部３７０ｂは、ダミーＶ−ＯＮＵ部３２３及び受光感度算出部３２４が有する機能を稼働させる。
【００９２】
図４は、本発明の第２の実施形態における光信号の信号レベルの調整量の算出処理を示すフローチャートである。まず、外部の制御端末（図示せず）等により、設定テーブル（第１設定テーブル及び第２設定テーブル）に対して各パラメータのパラメータ値が設定される（ステップＳ１０）。設定が完了し（ステップＳ２０・Ｙｅｓ）、キャリア監視機能の稼働状態がＯＦＦである場合（ステップＳ３０・Ｙｅｓ）、出力レベル計算部３４０ｂは、調整量の算出処理を実行する（ステップＳ７０）。
【００９３】
一方、設定が完了し（ステップＳ２０・Ｙｅｓ）、キャリア監視機能の稼働状態がＯＮである場合（ステップＳ３０・Ｎｏ）、キャリア監視機能部３７０ｂは、各キャリア信号についての最小受光感度を算出し、算出された各最小受光感度の値のうち最悪値を特定する（ステップＳ４０）。第２設定テーブルの（Ｂ）のパラメータのパラメータ値として既に設定されている所要最小受光感度の値が、上記特定された最悪値以上である場合（ステップＳ５０・Ｎｏ）、出力レベル計算部３４０ｂは、調整量の算出処理を実行する（ステップＳ７０）。
【００９４】
一方、第２設定テーブルの（Ｂ）のパラメータのパラメータ値として既に設定されている所要最小受光感度の値が、上記特定された最悪値未満である場合（ステップＳ５０・Ｙｅｓ）、キャリア監視機能部３７０ｂは、第２設定テーブルに設定されている所要最小受光感度の値を更新し、これにより、設定テーブル記憶部３３０ｂは、出力レベル計算部３４０ｂへ所要最小受光感度の更新通知を行う（ステップＳ６０）。そして、出力レベル計算部３４０ｂは、調整量の算出処理を実行する（ステップＳ７０）。
【００９５】
なお、図４に示すフローチャートが示す処理に基づいてキャリア監視機能がＯＮに切り替えられた場合、調整量の算出処理の完了後に、ＣＬＩ等によってキャリア監視機能が再びＯＦＦに切り替えられることが望ましい。
【００９６】
＜第３の実施形態＞
以下、本発明の第３の実施形態について説明する。
上述した第２の実施形態においては、ＣＬＩ等によってキャリア監視機能がＯＦＦに切り替えられることを想定したが、このキャリア監視機能のＯＦＦ状態への切り替えを、出力レベル計算部（出力レベル計算部３４０ｃ）によって自動的に実行させるようにしてもよい。
【００９７】
図５は、本発明の第３の実施形態に係る出力調整装置３０ｃ（キャリア監視装置）の機能構成を示すブロック図である。出力レベル計算部３４０ｃは、設定テーブル記憶部３３０ｃから出力された所要最小受光感度の更新通知を取得した場合、図５に示すように、キャリア監視機能部３７０ｃに対して、キャリア監視機能をＯＦＦに切り替えさせるための指示を示す情報を出力する。
【００９８】
また、出力レベル計算部３４０ｃは、受光感度算出部３２４から設定テーブル記憶部３３０ｃへ出力される最小受光感度情報に基づく最小受光感度の値が、設定テーブル記憶部３３０ｃに記憶された第２設定テーブルに既に設定されている上記（Ｂ）のパラメータのパラメータ値よりも良好な（小さい）値である場合にも、キャリア監視機能部３７０ｃに対し、キャリア監視機能をＯＦＦに切り替えさせるための指示を示す情報を出力する。例えば、キャリア監視機能がＯＮの状態であるにもかかわらず、所定の時間経過しても設定テーブル記憶部３３０ｃから所要最小受光感度の更新通知が出力されなかった場合に、出力レベル計算部３４０ｃが、キャリア監視機能部３７０ｃに対して、キャリア監視機能をＯＦＦに切り替えさせるための指示を示す情報を出力するような構成にしてもよい。
【００９９】
図６は、本発明の第３の実施形態における光信号の信号レベルの調整量の算出処理を示すフローチャートである。図６に示すフローチャートは、図４に示した第２の実施形態における光信号の信号レベルの調整量の算出処理を示すフローチャートに対し、ステップＳ６５の処理が追加されたものである。すなわち、キャリア監視機能部３７０ｃは、ステップＳ４０からステップ６０までの一連の処理を実行した後、出力レベル計算部３４０ｃからの指示により、キャリア監視機能がＯＦＦに切り替えられる（ステップＳ６５）。
【０１００】
このように、出力レベル計算部３４０ｃがキャリア監視機能をＯＦＦに切り替える構成を備えることにより、ＣＬＩ等によってキャリア監視機能をＯＦＦに切り替える作業が不要となり、作業効率化が図られる。
【０１０１】
なお、出力レベル計算部３４０ｃよってキャリア監視機能がＯＦＦに切り替えられた後は、ＯＦＦの状態を維持し、再び新たなキャリア信号を用いた放送が開始される直前に、再びＣＬＩ等によってキャリア監視機能をＯＮに切り替えるようにすればよい。
【０１０２】
＜第４の実施形態＞
以下、本発明の第４の実施形態について説明する。
上述した第１の実施形態から第３の実施形態では、キャリア監視機能が、波長λ２の光信号のみを監視の対象とする構成であるが、波長λ１の光信号のみを監視の対象とする構成、あるいは、波長λ１の光信号及び波長λ２の光信号の双方を監視の対象とする構成としてもよい。図７は、波長λ１の光信号及び波長λ２の光信号の双方を監視の対象とする出力調整装置３０ｄ（キャリア監視装置）の機能構成を示すブロック図である。
【０１０３】
波長λ１の光信号がキャリア監視機能による監視の対象であることによって、例えば、将来的に波長λ１の光信号に新たなキャリア信号が追加されることにより所要最小受光感度が悪化した場合であっても、アクセス用アンプ５０から出力される光信号の出力レベルが適切に制御されるため、視聴者による既存放送及び新規に追加された放送の視聴が可能になる。
【０１０４】
なお、上述した第１の実施形態から第４の実施形態では、ＷＤＭフィルタ４０が出力調整装置３０（３０ｂ，３０ｃ，３０ｄ）の外部に備えられる構成であるものとしたが、出力調整装置３０（３０ｂ，３０ｃ，３０ｄ）がＷＤＭフィルタ４０を内蔵する構成にしてもよい。この場合、ＷＤＭフィルタ４０が有する機能（すなわち、波長λ１の光信号と波長λ２の光信号とを合波する機能）に相当する機能部は、出力レベル調整部３５０の後段に備えられる。そして、ＷＤＭフィルタ４０によって合波された合波信号が、出力調整装置３０（３０ｂ，３０ｃ，３０ｄ）からアクセス用アンプ５０へ出力される。
【０１０５】
＜第５の実施形態＞
以下、本発明の第５の実施形態について説明する。
上述した第１の実施形態から第４の実施形態においては、既存放送に加えて更に新４Ｋ・８Ｋ衛星放送の配信及び視聴を実現するためのネットワーク構成として、図１２に示したネットワーク構成を想定した。そして、当該ネットワーク構成において上記課題を解決するための出力調整装置３０（３０ｂ，３０ｃ，３０ｄ）について説明した。なお、図１２に示したネットワーク構成は、既存の中継用アンプ１３が新４Ｋ・８Ｋ衛星放送には対応していない（すなわち、波長λ２の光信号には対応していない）場合であっても、既存放送に加えて新４Ｋ・８Ｋ衛星放送の配信及び視聴を実現可能にすることができるネットワーク構成である。
【０１０６】
一方、本実施形態では、既存の中継用アンプが波長λ１の光信号及び波長λ２の光信号の双方に対応しており、かつ、既存の光伝送路において双方の光信号が所望の信号レベルでアクセス用アンプまで到達可能なネットワーク構成であることを想定する。そして、当該ネットワーク構成において、既存放送に加えて更に新４Ｋ・８Ｋ衛星放送の配信及び視聴を実現可能にするＦＴＴＨ型ＣＡＴＶシステムについて説明する。
【０１０７】
図８は、本実施形態において想定するネットワーク構成の一例を示すブロック図である。図８に示すネットワーク構成では、図１２に示したネットワーク構成とは異なり、中継用アンプが波長λ１の光信号及び波長λ２の光信号の双方に対応していることから、中継用アンプの前段の位置にＷＤＭフィルタを設置可能である。これにより、図８に示すように、中継用アンプには、ＷＤＭフィルタによって合波がなされた光信号（合波信号）が入力される。このようなネットワーク構成にすることにより、新４Ｋ・８Ｋ衛星放送への対応がなされる際に、新たな中継用アンプを設置する必要がない。そのため、図８に示すネットワーク構成では、図１２に示したネットワーク構成と比べて、新たに設置される機器の設置コスト等が低減される。
【０１０８】
但し、図８に示すネットワーク構成のままでは、上述した第１の実施形態から第４の実施形態と同様の課題（すなわち、視聴者が新たなキャリア信号を用いた放送を視聴することができなくなる課題）が生じうる。したがって、本実施形態では、当該課題を解決するため、図８に示すネットワーク構成に対して出力調整装置を設置する場合について説明する。
【０１０９】
［ネットワーク構成］
以下、本発明の第５の実施形態に係る、新４Ｋ・８Ｋ衛星放送に対応したＦＴＴＨ型ＣＡＴＶシステム１ｅのネットワーク構成について説明する。図９は、当該ネットワーク構成の一例を示すブロック図である。上述した第１の実施形態から第４の実施形態と同様に、アクセス用アンプ５０の前段に出力調整装置３０ｅが設置される。但し、図９に示すように、本実施形態では、中継ＮＷにおいて波長λ１の光信号と波長λ２の光信号とが合波された合波信号が出力調整装置３０ｅへ伝送される。そのため、出力調整装置３０ｅに対して入出力がなされる光信号は、いずれも波長λ１の光信号と波長λ２の光信号とが合波された合波信号である。
【０１１０】
［出力調整装置の機能構成］
以下、本発明の第５の実施形態に係るＦＴＴＨ型ＣＡＴＶシステム１ｅの出力調整装置３０ｅの機能構成について説明する。図１０は、本発明の第５の実施形態に係る出力調整装置３０ｅ（キャリア監視装置）の機能構成を示すブロック図である。図１０に示すように、出力調整装置３０ｅの機能構成は、図２に示した第１の実施形態に係る出力調整装置３０の機能構成に対し、分離部３００及び合波部３６０を更に備えている点において相違する。なお、出力調整装置３０ｅに含まれる他の各機能ブロックが有する各機能ついては、第１の実施形態に係る出力調整装置３０に含まれる各機能ブロックが有する機能と同等であるため、同一の符号を付し、説明を省略する。
【０１１１】
分離部３００は、例えばＷＤＭフィルタ等の、光信号を分離することができるフィルタ回路を含んで構成される。分離部３００は、中継用アンプ１３ｃから送出された合波信号を、波長λ１の光信号と波長λ２の光信号とに分離する。そして、分離部３００は、波長λ１の光信号を光信号分岐部３１１へ送出し、波長λ２の光信号を光信号分岐部３２１へ送出する。
【０１１２】
合波部３６０は、例えばＷＤＭフィルタ等の、光信号を合波することができるフィルタ回路を含んで構成される。合波部３６０は、出力レベル調整部３５０から送出された波長λ１の調整済みの光信号と波長λ２の調整済みの光信号とを合波する。そして、合波部３６０は、合波信号をアクセス用アンプ５０へ送出する。
【０１１３】
このように本実施形態においては、出力調整装置３０ｅは、入力された合波信号を、まず分離部３００（例えばＷＤＭフィルタ）により波長λ１の光信号と波長λ２の光信号とに分離する。出力調整装置３０ｅは、分離された双方の光信号の信号レベルの調整をそれぞれ行う。そして、出力調整装置３０ｅは、調整済みの双方の光信号を再び合波部３６０（例えばＷＤＭフィルタ）によって合波し、合波信号を出力する。
【０１１４】
＜第６の実施形態＞
以下、本発明の第６の実施形態について説明する。
上述した第１の実施形態から第５の実施形態においては、キャリア監視機能は出力調整装置３０（３０ｂ，３０ｃ，３０ｄ，３０ｅ）に具備されているが、当該キャリア監視機能が光送信機（例えば、図１に示す光送信部１２及び光送信部２２）に具備される構成であってもよい。この場合、キャリア監視機能を備える光送信機が、新規のキャリア信号の検知、及び最小受光感度の算出等を実行する。そして、光送信機は、算出された最小受光感度の値を、出力調整装置へ通知する。
【０１１５】
なお、当該通知の方法としては、例えば、光送信機によって算出された最小受光感度の値を示す情報を通知するための制御フレームを予め定義しておき、当該フレームによって、光送信機から出力調整装置へ通知する方法を用いることができる。なお、当該通知を受けた後の出力調整装置の動作は、上述した第１の実施形態から第５の実施形態における、設定テーブル記憶部３３０（３３０ｂ，３３０ｃ，３３０ｄ，３３０ｅ）が受光感度算出部３２４から最小受光感度情報を取得した後の動作と同様である。
【０１１６】
このように、第６の実施形態によれば、出力調整装置を、キャリア監視機能を備えず、単に、入力された波長λ１の光信号及び波長λ２の光信号のそれぞれの信号レベルを調整して出力する機能のみを備えるように構成することができる。
【０１１７】
以上説明したように、上述した各実施形態に係る出力調整装置３０（３０ｂ，３０ｃ，３０ｄ，３０ｅ）は、複数の多チャンネル映像信号をそれぞれＦＭ一括変換して得られた、波長が異なる複数の光信号を、一括して増幅する光アクセスネットワーク用の増幅器（アクセス用アンプ５０）からの複数の出力光信号を、それぞれ適切なレベルに調整する。そして、出力調整装置３０（３０ｂ，３０ｃ，３０ｄ，３０ｅ）は、波長が異なる複数の光信号のうち少なくとも１つについて、多チャンネル映像信号の各キャリア信号における周波数偏移量を求め、当該周波数偏移量に基づき、光受信部における最小受光感度を算出するとともに、波長が異なる複数の光信号の信号レベルをそれぞれ測定する。そして、出力調整装置３０（３０ｂ，３０ｃ，３０ｄ，３０ｅ）は、測定結果に基づき、増幅器から出力される複数の光信号について、信号レベルの総和が仕様上（又は、設定上）の出力レベルを満たし、かつ、加入者宅に設置された光受信部まで伝送された後の信号レベルがそれぞれ最小受光感度を満たすような、所要の信号レベルをそれぞれ算出する。そして、出力調整装置３０（３０ｂ，３０ｃ，３０ｄ，３０ｅ）は、算出された所要の信号レベルに応じて複数の光信号の信号レベルをそれぞれ調整して、当該光信号を増幅器へ出力する。
【０１１８】
上記の構成を備えることによって、上述した各実施形態に係るＦＴＴＨ型ＣＡＴＶシステムによれば、加入者宅に設置された光受信部において、それぞれＦＭ一括変換された複数の光信号に含まれる複数の多チャンネル映像信号が、それぞれ適切に受信される。これにより、視聴者は、新たなキャリア信号を用いた放送が追加された場合であっても、既存放送及び新規放送の視聴を行うことができる。
【０１１９】
上述した実施形態における出力調整装置３０（３０ｂ，３０ｃ，３０ｄ，３０ｅ）が備える受光感度算出部３２４、設定テーブル記憶部３３０（３３０ｂ，３３０ｃ，３３０ｄ，３３０ｅ）及び出力レベル計算部３４０（３４０ｂ，３３０ｃ，３４０ｄ，３４０ｅ）の一部又は全部を、コンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、上述した機能の一部を実現するためのものであっても良く、更に上述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【０１２０】
以上、図面を参照して本発明の実施形態を説明してきたが、上記実施形態は本発明の例示に過ぎず、本発明が上記実施形態に限定されるものではないことは明らかである。したがって、本発明の技術思想及び要旨を逸脱しない範囲で構成要素の追加、省略、置換、及びその他の変更を行ってもよい。
【符号の説明】
【０１２１】
１，１ｃ…ＦＴＴＨ型ＣＡＴＶシステム、１１，２１…ヘッドエンド、１２，２２…光送信部、１３，１３ｅ，２３…中継用アンプ、３０，３０ｂ，３０ｃ，３０ｄ，３０ｅ…出力調整装置、４０…ＷＤＭフィルタ、５０…アクセス用アンプ、６１，６２…光受信部、７０…光伝送路、７１…中継ＮＷ、７２…アクセスＮＷ、３００…分離部、３１１，３２１…光信号分岐部、３１２，３２２…受光レベル測定部、３２３…ダミーＶ−ＯＮＵ部、３２４…受光感度算出部、３３０，３３０ｂ，３３０ｃ，３３０ｄ，３３０ｅ…設定テーブル記憶部、３４０，３４０ｂ，３４０ｃ，３４０ｄ，３４０ｅ…出力レベル計算部、３５０…出力レベル調整部、３６０…合波部、３７０，３７０ｂ，３７０ｃ…キャリア監視機能部
【図１】
2020127092.tif 000003
【図２】
2020127092.tif 000004
【図３】
2020127092.tif 000005
【図４】
2020127092.tif 000006
【図５】
2020127092.tif 000007
【図６】
2020127092.tif 000008
【図７】
2020127092.tif 000009
【図８】
2020127092.tif 000010
【図９】
2020127092.tif 000011
【図１０】
2020127092.tif 000012
【図１１】
2020127092.tif 000013
【図１２】
2020127092.tif 000014